(57)【特許請求の範囲】
【請求項１】
軸筒に少なくとも３本の筆記体ユニットが配置され、その各筆記体ユニットをカムの回転により出没させる回転繰り出し式の複合筆記具において、前記軸筒に係止段部を設ける一方、その係止段部に係合する係止部を前記軸筒に取り付けられた回転部材の一箇所に設けると共に、それら係止段部か、係止部の少なくとも一方を弾性変形可能に形成し、また、その弾性変形を前記軸筒と回転部材との相対回転よりなすと共に、前記弾性変形により前記係止段部と係止部による係合を解除すると共に、前記弾性変形の過程において係止段部と係止部に回転抵抗力が付与されてなり、更に、前記軸筒と回転部材を時計回り、並びに、反時計回り何れの方向にも３６０度以上回転が可能な回転繰り出し式複合筆記具。
【請求項２】
軸筒に少なくとも３本の筆記体ユニットが配置され、その各筆記体ユニットをカムの回転により出没させる回転繰り出し式の複合筆記具において、前記軸筒に係止段部を設ける一方、その係止段部に係合する係止部を前記軸筒に取り付けられた回転部材一箇所に設けると共に、それら係止段部と係止部を乗り越え可能にし、また、その乗り越え動作を前記軸筒と回転部材との相対回転よりなすと共に、前記乗り越え動作により前記係止段部と係止部による係合を解除すると共に、前記乗り越え動作の過程において係止段部と係止部に回転抵抗力が付与されてなり、更に、前記軸筒と回転部材を時計回り、並びに、反時計回り何れの方向にも３６０度以上回転が可能な回転繰り出し式複合筆記具。
【請求項３】
前記複数の筆記体ユニットのうち少なくとも１つがシャープペンシルユニットからなり、そのシャープペンシルユニットの後方に前記カムの動作に伴って前後動する摺動子を配置すると共に、その摺動子に前記芯繰り出し手段の芯タンクを押圧するノック伝達手段を配置したことを特長とする請求項１或いは、請求項２に記載の回転繰り出し式複合筆記具。
【請求項４】
前記シャープペンシルユニットの芯タンクの後方に、前記軸筒の外方と連通する芯誘導孔を形成したことを特徴とする請求項３記載の回転繰り出し式複合筆記具。
【発明の詳細な説明】
【０００１】
【発明の属する技術分野】
本発明は、軸筒に複数の筆記体ユニット（例えば、シャープペンシルユニットと、黒色や赤色のボールペンユニット）が配置され、その各筆記体ユニットをカムの回転により出没させる回転繰り出し式の複合筆記具に関する。
【０００２】
【従来の技術】
従来、複数の筆記体ユニットを配置した回転繰り出し式の複合筆記具は、数多く提案されている。
これら回転繰り出し式複合筆記具の多くは、軸筒の内部に配置したスライド筒或いは、スライド筒と相対的に回転するカムによって、各筆記体ユニットを順次出没させている。そして、各筆記体ユニットの出没状態が容易に判別できるように、一定区間内において前記の回転動作が規制されている。即ち、３６０度以上回転できない構造となっている。
以下、具体的に説明する。前記回転動作の阻止は、軸筒或いは、スライド筒とカムに設けられた係止部によりなされている。ここで、例えば、３本の筆記体ユニットが配置された回転繰り出し式複合筆記具を挙げる。前記スライド筒には、３個の貫通孔と摺動溝が形成されている。もちろん、前記各筆記体ユニットが摺動自在に配置される貫通孔や摺動溝である。そのスライド筒のシャープペンシルユニットと黒色ボールペンユニットが配置される摺動溝の両側には、前記係止部が形成されている。そして、反時計回りに前記シャープペンシルユニット、次いで赤色ボールペンユニット、次いで黒色ボールペンユニットが配置されている。ここで、前記シャープペンシルユニットを選択した状態から、カムを時計回りに回転させようとすると、そのカムが前記係止部に当接し、回転が阻止される。つまり、シャープペンシルユニットは、没入することができないのである。また、黒色ボールペンユニットが選択されている状態で、カムを反時計回りに回転させようとしても、同様にカムが係止部に当接し、回転が阻止される。つまり係止部により、２箇所の係止状態が存在するのである。
これに対し、係止部を設けず、カムを３６０度回転させることができ、これによってカムの回転方向に束縛されることなく前記筆記体ユニットを選択し、出没させることができる回転繰り出し式の複合筆記具もある。
【０００３】
【発明が解決しようとする課題】
前記カムの回転が阻止される回転繰り出し式複合筆記具の多くは、相対的に回転する前軸と、後軸に対して回転可能に配置されたスライド筒を含む後軸ユニットとが螺着されており、各筆記体ユニットの交換、或いは、筆記体ユニットがシャープである場合には芯の補充の際に、この螺着部を外すことによってその作業がなされる。この様に、螺着による着脱を確実に行うためには、その着脱の締め付け力を前記係止部による係止力よりも強くする必要がある。そのためもあって、前記係止部は必要不可欠なものともなっている。
しかしながら、筆記体ユニットの出没操作の際、誤って必要以上の回転操作力を付与させてしまうと、前記カムや係止部などを破損させてしまい、筆記体ユニットの出没動作に故障を招く恐れがあった。
また、一方の係止状態（例えば、シャープペンシルユニットが選択されている状態）からもう一方の係止状態（例えば、黒色ボールペンユニットが選択される状態）に移行・選択する場合は、必ず所望以外の筆記体ユニット（例えば、赤色ボールペンユニット）を選択する操作（動作）が必要となり、違和感を募らせてしまった。
【０００４】
一方、特定の筆記体ユニットの突出状態で係止させることにより、使用者はその一方の回転で係止した筆記具を覚えることにより、軸筒から突出している筆記体ユニットを目視で確認しなくても認識することができる利点はある。つまり上記例ではシャープペンシルユニットが選択されている場合、更に後軸を時計回りに回転させようとしても、係止することから、選択されている筆記体ユニットがシャープペンシルユニットであることを認識できる。また、黒色ボールペンユニットが選択されている場合、更に後軸を反時計回りに回転させようとしても係止することから、選択されている筆記体ユニットが黒色ボールペンユニットであることを認識できる。
尚、係止部を設けない回転繰り出し式の複合筆記具では、相対的に回転する前軸部と後軸部の接合に螺着手段を使用しにくい点や、選択されている筆記体ユニットの認識ができないと言った問題があるが、その反面、過大な回転操作力によるカムなどの故障に対して信頼性が高い。
【０００５】
【課題を解決するための手段】
本発明は、軸筒に少なくとも３本の筆記体ユニットが配置され、その各筆記体ユニットをカムの回転により出没させる回転繰り出し式の複合筆記具において、前記軸筒に係止段部を設ける一方、その係止段部に係合する係止部を前記軸筒に取り付けられた回転部材の一箇所に設けると共に、それら係止段部か、係止部の少なくとも一方を弾性変形可能に形成し、また、その弾性変形を前記軸筒と回転部材との相対回転よりなすと共に、前記弾性変形により前記係止段部と係止部による係合を解除すると共に、前記弾性変形の過程において係止段部と係止部に回転抵抗力が付与されてなり、更に、前記軸筒と回転部材を時計回り、並びに、反時計回り何れの方向にも３６０度以上回転が可能な回転繰り出し式複合筆記具を第１の要旨とし、軸筒に少なくとも３本の筆記体ユニットが配置され、その各筆記体ユニットをカムの回転により出没させる回転繰り出し式の複合筆記具において、前記軸筒に係止段部を設ける一方、その係止段部に係合する係止部を前記軸筒に取り付けられた回転部材一箇所に設けると共に、それら係止段部と係止部を乗り越え可能にし、また、その乗り越え動作を前記軸筒と回転部材との相対回転よりなすと共に、前記乗り越え動作により前記係止段部と係止部による係合を解除すると共に、前記乗り越え動作の過程において係止段部と係止部に回転抵抗力が付与されてなり、更に、前記軸筒と回転部材を時計回り、並びに、反時計回り何れの方向にも３６０度以上回転が可能な回転繰り出し式複合筆記具を第２の要旨とするものであって、上記２つのタイプ（従来技術）の回転繰り出し式複合筆記具の利点を充分に発揮させることを目的としている。
【０００６】
【実施例】
本発明の実施の形態を図示し、その図に基づいて詳細に説明する。図１〜図４に第１実施例を示す。１は先軸で各筆記体ユニット（本例においては、シャープペンシルユニット、赤色ボールペンユニット、黒色ボールペンユニットの３種類の筆記体ユニットが配置されている）の筆記部が出没できるように、先端（説明中、先端や前方とはペン先方向を示す。即ち、図１において先端とは下側になり、その反対（上側）を後端や後方と記す。）に先端穴１ａが形成されている。該先軸１はスライド筒３を一体に形成した軸筒２に螺合、嵌着などの手段によって、脱着自在に取り付けられ、ボールペンユニットの交換や、シャープペンシルユニットのメンテナンスなどが行えるようになっている。
前記シャープペンシルユニット９は、先穴を形成した先金９ａと複数の替芯を貯蔵する芯タンク１１とを中ネジ９ｂを介して結合し、芯を把持するチャック９ｄを前記先金９ａ内に配置している。尚、その先金９ａの先穴は、芯が出没できる内径を有しており、また、先金９ａと中ネジ９ｂとは、螺合により着脱自在に結合している。その中ネジ９ｂの内側には、一方を中ネジ９ｂの内方段部に当接し、他方を中継ぎ９ｃの段部に当接したコイルスプリングなどの圧縮弾発部材１２が配置されている。
【０００７】
前記スライド筒３の側面には３個の摺動溝３ａがそれぞれ独立して形成されており、その各摺動溝３ａ内には芯タンク１１に固定されたシャープペンシル用摺動子１５や、ボールペンユニット後端部に着脱自在に固定されたボールペン用摺動子１６が配置されている。
該シャープペンシル摺動子１５の前方には弾発部材１７が配置されており、その弾発部材１７の先端は前記スライド筒３の段部３ｇに当接しているが、前記ボールペン摺動子１６の前方にも同様に弾発部材１７が配置されている（隠れた位置に配置されているため、図示されず）。
また、前記スライド筒３の後方外周には摺動溝３ａにより一部切り欠かれた周状突起３ｆが形成されている。その周状突起３ｆは、カム６と一体に形成された回転部５（後軸７）の周状段部３ｆと冠着しているが、回転自在且つ、回転部５が後方に外れないように固定されている。また、該カム６の先端にはテーパー面６ａが形成されており、シャープペンシル摺動子１５の側面に形成されたテーパー部１５ａ、並びに、ボールペン摺動子１６の側面に形成されたテーパー部１６ａ（図示せず）と当接している。従って、該カム６はシャープペンシル摺動子１５とボールペン摺動子１６を介して、その前方に配置された弾発部材１７により後方に付勢されている。
符号７ａは、前記スライド筒３に形成されているスライド溝壁３ｃと当接する係止片であって、その係止片７ａは、後軸７に形成した切り欠き部７ｄと薄肉部７ｃによって形成されている。即ち、係止片７ａは薄肉部７ｃ近傍を支点とし、外側方向に弾性変形が可能なものとなっている。
【０００８】
次に、使用例、その動作について説明する。図１はシャープペンシルユニット９が選択された状態の縦断面図である。後軸７の後端に着脱自在に取り付けられている消しゴムカバー１８を押圧すると、後軸７（回転部５）が押圧され、回転部５に一体に形成されたカム６のテーパー部６ａに当接・係合されたシャープペンシル用摺動子１５が押圧される。この時シャープペンシルユニット９の先端部は先軸１の先端１ｂにより前進を規制されるためシャープペンシルユニット９の圧縮弾発部材１２が圧縮され、この時、前記チャック９ａも前進・拡開し、芯が繰り出される。
図２は、図１の状態のＡ−Ａ’断面矢視図である。このシャープペンシルユニット９が選択された状態から、後軸７を後方から見て反時計回りに１２０度回転させると、赤色ボールペンユニット１４が選択される。また、シャープペンシルユニット９が選択された状態から、回転部５を後方からみて時計回りに１２０度回転させると、黒色ボールペンユニット１３を選択することができる。
ここで、上記状態から後軸７を時計回り回転させると、後軸７に形成した係止片７ａがスライド筒溝壁３ｃに当接する。これによって、係止の感覚を得ることができるが、更に同方向に後軸７を回転させると、前記係止片７ａは薄肉部７ｃ近傍を支点とし外径方向に拡開する。こうして、適度の抵抗感を保ちながら黒色ボールペンユニット１３の選択状態へと移行させることができる。
尚、前記スライド筒３後方には、前記係止片７ａが係止せず回転できる小径部３ｄを部分的（シャープペンシルユニット９と赤色ボールペンユニット１４間の壁並びに、赤色ボールペンユニット１４と黒色ボールペンユニット１３間の壁）に形成されていると共に、前記係止片７ａと係止し、適度の抵抗感を発生させる、小径部３ｄより径が大きい大径部３ｅが（シャープペンシルユニット９と黒色ボールペンユニット１３間に）形成されている。
【０００９】
また、前例においては、成形性の観点から、後軸７とクリップ８を別部材で構成し互いを固定しているが、図５に示すように、後軸７とクリップ８とを一体成形しても良い。本例においては、係止片７ａをクリップ８とは反対側に形成している。成形性を考慮してのことであるが、成形する金型の構造如何によっては、側面部などに適宜形成しても良い。符号７ｃ並びに、７ｄは、前例と同様に、係止片７ａを弾性変形させるための薄肉部と切り欠き部である（第２実施例）。
【００１０】
図６〜図９に第３実施例を示す。前記第１実施例と同様な構成は、その説明を省略する。シャープペンシルユニット９は、先穴を形成した先金９ａと外パイプ１０とを中ネジ９ｂを介して結合し、芯を把持固定するチャック９ｄを先金９ａ内に配置している。また、芯タンク１１は中継ぎ９ｃの後方に圧入などで着脱不能に固定されている。即ち、外パイプ１０を固定し、芯タンク１１を後端から押圧することによって、芯の繰り出しが行えるようになっている。
図６はシャープペンシルユニット９が選択された状態の縦断面図である。芯タンク１１の外側には、外パイプ１０が配置されており、該外パイプ１０の後方には外側に向かって、爪１０ａが形成され、該爪１０ａがシャープペンシル摺動子１５の内方に形成された凹部１５ｂに係合している。つまり、該外パイプ１０はシャープペンシル摺動子１５に挿着しやすく、抜けにくい構造となっている。そのシャープペンシル摺動子１５の内方に形成された凹部１５ｂは、生産性を考慮して、シャープペンシル摺動子１５の側面から形成された貫通孔となっている。
前記芯タンク１１の後方には、ノック伝達部材１９が配置されている。該ノック伝達部材１９の側面には、左右対称に突起１９ｄが２個形成されており、シャープペンシル摺動子１５の側面に形成された２個の長穴１５ｃに内側から係合している。これによって、ノック伝達部材１９は、シャープペンシル摺動子１５に対して前後に摺動するように配置されている。尚、該突起１９ｄと長穴１５ｃは１個ずつでもかまわない。また、シャープペンシル摺動子１５の後方には、スリット１５ｄが形成されており、シャープペンシル摺動子１５とノック伝達部材１９とを組み立てる際、拡開し、前記の部品を破損しないようになっている。
尚、前記ボールペンユニット１３、１４とボールペン摺動子１６の固定構造や、スライド筒３の溝内での構成は前記第１実施例と同様である。
【００１１】
また、前記ボールペン摺動子１６やシャープペンシル摺動子１５の後方には回転部５と一体に形成されたカム６が設けられており、そのカム６の後方にはノック部材２０が配置されている。そして、回転部５の後方側面には、長穴５ｃが左右対称に２個形成されており、ノック部材２０の突起２０ａが係合している。つまり、ノック部材２０は、回転部５に対して回転不能ではあるが、前後に摺動可能に配置されている。また、ノック部材２０の外周には、そのノック部材２０を後方に付勢するように弾発部材２１が回転部５の係止段部５ｅとノック部材２０の係止段部２０ｃの間に配置されている。
さらに、ノック伝達部材１９の側面にはノック伝達用突起１９ａが形成されている。該ノック伝達用突起１９ａは、シャープペンシルユニット９を選択時に消しゴムカバー１８を押圧することにより、前記ノック部材２０が前進して先端部２０ｄがノック伝達用突起１９ａに当接するようになっている。つまり、ノック部材２０の前進と共にノック伝達部材１９も前進するのである。そして、ノック伝達部材１９が前進すると芯タンク１１が前進し、これによって、シャープペンシルユニット９の圧縮弾発部材１２が圧縮し芯の繰り出し動作がなされる。このときシャープペンシルユニット９で筆記を行うと、その筆記圧は外パイプ１０、並びに、シャープペンシル用摺動子１５を介しカム６の先端テーパー部６ａに掛かる。そのため、筆記圧がシャープペンシルユニット９の圧縮弾発部材１２を圧縮させることがなく、軽いノック圧でも十分なペン先耐圧を維持することができるようになっている。
また、前記ノック部材２０の前方には、スライド筒３と一体に形成された軸筒２と回転部５の相対的な回転操作によって、シャープ摺動子１５が後退したときに、ノック伝達用突起１９ａが衝突しないようにテーパー部２０ｂが形成されている。さらに、軸筒２と回転部５の相対的な回転操作によってシャープ摺動子１５が後退したときに、ノック伝達用突起１９ａが衝突しないようにテーパー状の舌片５ｄも形成されている。そして、前記ノック伝達部材１９には、長手方向に貫通した芯補充孔１９ｂが形成されている。この芯補充孔１９ｂの後端には、大径の漏斗状の芯誘導部１９ｃが形成されている。故に、消しゴムカバー１８と消しゴム２２を筆記具本体から外すことにより、後方から芯を挿入することが可能となっている。符号８は、前記回転部５と一体に形成されたクリップであるが、別部材で構成し、互いを固着しても良い。また、符号３ｂは、前記スライド筒３の外面に形成された係止突起であって、その突出量は僅かなものとなっている。
【００１２】
次に、使用例と、その動作について説明する。シャープペンシルユニット９が選択された状態から、回転部５を後方から見て反時計回りに１２０度回転させると、赤色ボールペンユニット１４が選択される。一方、シャープペンシルユニット９が選択された状態から、回転部５を後方からみて時計回りに１２０度回転させると、黒色ボールペンユニット１３が選択される。この状態から回転部５を時計回り回転させると、カム６のカム面６ｂが係止突起３ｂに当接し、この当接によって係止感が発生する。ここで、更に同方向に回転部５を回転させると、カム６はスライド筒３の係止突起３ｂを偏心した状態で乗り越え、この時、適度の抵抗感を保ちながら黒色ボールペンユニット１３が選択される。
尚、この第３実施例においては、スライド筒３の外面に微小な高さの係止突起３ｂを形成しているが、図１０に示すように、係止突起３ｂの下面に隙間３ｈを形成し、その係止突起３ｂが弾性変形しやすいようにしても良い（第４実施例）。
【００１３】
【発明の効果】
本発明は、軸筒に少なくとも３本の筆記体ユニットが配置され、その各筆記体ユニットをカムの回転により出没させる回転繰り出し式の複合筆記具において、前記軸筒に係止段部を設ける一方、その係止段部に係合する係止部を前記軸筒に取り付けられた回転部材の一箇所に設けると共に、それら係止段部か、係止部の少なくとも一方を弾性変形可能に形成し、また、その弾性変形を前記軸筒と回転部材との相対回転よりなすと共に、前記弾性変形により前記係止段部と係止部による係合を解除すると共に、前記弾性変形の過程において係止段部と係止部に回転抵抗力が付与されてなり、更に、前記軸筒と回転部材を時計回り、並びに、反時計回り何れの方向にも３６０度以上回転が可能な回転繰り出し式複合筆記具を第１の要旨とし、軸筒に少なくとも３本の筆記体ユニットが配置され、その各筆記体ユニットをカムの回転により出没させる回転繰り出し式の複合筆記具において、前記軸筒に係止段部を設ける一方、その係止段部に係合する係止部を前記軸筒に取り付けられた回転部材一箇所に設けると共に、それら係止段部と係止部を乗り越え可能にし、また、その乗り越え動作を前記軸筒と回転部材との相対回転よりなすと共に、前記乗り越え動作により前記係止段部と係止部による係合を解除すると共に、前記乗り越え動作の過程において係止段部と係止部に回転抵抗力が付与されてなり、更に、前記軸筒と回転部材を時計回り、並びに、反時計回り何れの方向にも３６０度以上回転が可能な回転繰り出し式複合筆記具を第２の要旨としているので、選択されている筆記体ユニットを容易に認識することができると共に、各筆記体ユニットの選択も容易なものとなる。
【図面の簡単な説明】
【図１】  第１実施例を示す縦断面図（シャープペンシルユニット選択時）。
【図２】  図１のＡ−Ａ’断面矢視図。
【図３】  図１の要部を分解した破断斜視図。
【図４】  図１の要部を分解した外観斜視図。
【図５】  第２実施例を示す要部外観斜視図。
【図６】  第３実施例を示す縦断面図（シャープペンシル選択時）。
【図７】  図６のＢ−Ｂ’断面矢視図。
【図８】  図６の要部を分解した外観斜視図。
【図９】  図７を分解した外観斜視図。
【図１０】  第４実施例を示す要部外観斜視図。
【符号の説明】
１      先軸
１ａ    先端穴
１ｂ    内先端
２      軸筒
３      スライド筒
３ａ    摺動溝
３ｂ    係止突起
３ｃ    スライド筒溝壁
３ｄ    小径部
３ｅ    大径部
３ｆ    周状突起
３ｇ    段部
３ｈ    隙間
４      中軸部
５      回転部
５ａ    周状段部
５ｂ    周状溝
５ｃ    長穴
５ｄ    舌片
５ｅ    係止段部
６      カム
６ａ    先端テーパー部
６ｂ    カム面
７      後軸
７ａ    係止片
７ｂ    係止突起
７ｃ    肉薄部
８      クリップ
９      シャープペンシルユニット
９ａ    先金
９ｂ    中ネジ
９ｃ    中継ぎ
９ｄ    チャック
１０      外パイプ
１０ａ    爪
１１      芯タンク
１２      圧縮弾発部材
１３      黒色ボールペンユニット
１４      赤色ボールペンユニット
１５      シャープペンシル用摺動子
１５ａ    テーパー部
１５ｂ    凹部
１５ｃ    長穴
１５ｄ    スリット
１６      ボールペン用摺動子
１６ａ    テーパー部
１７      スライド筒内弾発部材
１８      消しゴムカバー
１９      ノック伝達部材
１９ａ    ノック伝達用突起
１９ｂ    芯補充孔
１９ｃ    導入部
１９ｄ    突起
２０      ノック部材
２０ａ    突起
２０ｂ    テーパー状部
２０ｃ    係止段部
２０ｄ    先端部
２１      弾発部材
２２      消しゴム
【図１】
0003937858.tif 000002
【図２】
0003937858.tif 000003
【図３】
0003937858.tif 000004
【図４】
0003937858.tif 000005
【図５】
0003937858.tif 000006
【図６】
0003937858.tif 000007
【図７】
0003937858.tif 000008
【図８】
0003937858.tif 000009
【図９】
0003937858.tif 000010
【図１０】
0003937858.tif 000011